(57)【要約】【課題】カニューラを所定の位置でしっかり固定し、吸入口が簡単に外れることなく鼻孔に差し入れた状態で維持することが可能なカニューラ固定具の提供を図る。【解決手段】頭頂部から側頭部へ少なくとも左右二本づつ計四本以上の帯状体を垂延し、該帯状体の下端部にカニューラの位置を固定するための固定手段を設けた構成となっている。帯状体には長さ調節機能を備えることも可能であり、また、左後方の帯状体と右後方の帯状体に紐体が連結され、着用状態において該紐体が後頭部に位置するような構成を採ることもできる。【選択図】図１
2006061528.tif 000002
【特許請求の範囲】
【請求項１】
頭頂部から側頭部へ少なくとも左右二本づつ計四本以上の帯状体を垂延し、該帯状体の下端部にカニューラの位置を固定するための固定手段を設けたことを特徴とするカニューラ固定具。
【請求項２】
前記帯状体が、綿、絹、レース、伸縮性材料のうちいずれか一の材質あるいはそれらの組合せからなることを特徴とする請求項１に記載のカニューラ固定具。
【請求項３】
前記帯状体が、長さ調節機能を備えることを特徴とする請求項１または請求項２に記載のカニューラ固定具。
【請求項４】
前記帯状体において、左前方と右後方の帯状体及び右前方と左後方の帯状体をそれぞれ一本の帯状体で形成し、各帯状体が頭頂部付近でたすき状に交差するように構成されていることを特徴とする請求項１から請求項３に記載のカニューラ固定具。
【請求項５】
前記帯状体において、左後方の帯状体と右後方の帯状体に紐体が連結され、着用状態において該紐体が後頭部に位置するように構成されていることを特徴とする請求項１から請求項４に記載のカニューラ固定具。
【請求項６】
前記紐体が、綿、絹、レース、伸縮性材料のうちいずれか一の材質あるいはそれらの組合せからなることを特徴とする請求項５に記載のカニューラ固定具。
【請求項７】
前記紐体が、長さ調節機能を備えることを特徴とする請求項５または請求項６に記載のカニューラ固定具。
【発明の詳細な説明】
【技術分野】
【０００１】
本発明は、カニューラ固定具に関し、詳しくは、頭部に装着され、カニューラの位置を固定するための固定具に関するものである。
【背景技術】
【０００２】
酸素吸入療法において、カニューラを用いる場合、酸素ボンベにカニューラの端部をつなげ、そのカニューラから分枝した吸入口を鼻孔に差し入れて行われる。その際、吸入口を鼻孔に差し入れた状態で維持すべく、カニューラを医療用テープで顔面の頬に貼り付けて固定したり、カニューラを両耳に引っ掛けて位置を固定したりすることが従来から行われている。
【０００３】
しかしながら、医療用テープで貼り付けて固定する方法では、入浴時や汗をかいた際において、テープの粘着力が弱まって外れ易くなったり、テープを貼った箇所付近を洗うことができない。また、睡眠時においては、寝返り等によってカニューラが引っ張られると、簡単にテープが剥れてカニューラが外れてしまうこととなる。さらに、スキントラブルを起こし易い人にとっては、テープを貼り付けた皮膚がかぶれてしまうといった問題もあった。特に乳幼児にあっては、無意識に手で顔をこするという行為が多く、したがってテープを頻繁に剥がしてしまうため、どうしてもテープを張り替える回数が多くなり、スキントラブルの発生数が多くなってしまうといった問題が生じていた。
【０００４】
また、カニューラを両耳に引っ掛けて位置を固定する方法によれば、完全にカニューラを固定するわけではないため、やはり睡眠時においては寝返り等によってカニューラが外れてしまうこととなる。そしてまた、子供、特に乳幼児にあっては、耳が小さすぎて上手く引っ掛からない場合があり、結局テープ等の固定具が必要になってしまい、上記同様の問題が生じてしまう。さらには、カニューラが耳の裏側で擦れてしまって、痛い思いをさせられるといった問題もあった。
【０００５】
そして、上記テープを貼り付ける方法及び耳に引っ掛ける方法のいずれの方法にも共通して、位置が固定されたカニューラは、その端部を酸素ボンベにつなげるべく、体の正面にぶら下がる状態となるため、乳幼児においては自分で該カニューラを外してしまうことが多々ある。また、授乳時や抱っこをする際に、介護者にとって該カニューラが邪魔になったり、無意識に引っ張ってしまうという問題もあった。
【０００６】
かかる問題を解決すべく、眼鏡のフレームにカニューラを固定する等、眼鏡を使用した発明が種々提案されている。しかしながら、眼鏡は長時間着用すると自然とずれを生じ、特に顔の下方向へずれ下がってしまうため、それに伴い鼻孔に差し込んだ吸入口も外れてしまう。また、睡眠時においても眼鏡を着用しなければならないのは、使用者に酷である。さらに、普段眼鏡を掛け慣れている人ならまだしも、そうでない人にとっては違和感を生じさせ、特に乳幼児にとっては鼻がまだ低い状態であるため、眼鏡を着用した状態で固定することはかなり困難である。そしてまた、フレームが耳の裏側に当って擦れてしまい、やはり痛みを与える結果になりかねない。またさらに、カニューラが体の正面にぶら下がる状態であることに何ら変わりはない。
【特許文献１】特開２００１−５４５７５号公報
【特許文献２】実開平６−４１７４３号公報
【発明の開示】
【発明が解決しようとする課題】
【０００７】
上記問題点に鑑み、本発明は、カニューラを所定の位置でしっかり固定し、吸入口が簡単に外れることなく鼻孔に差し入れた状態で維持することが可能なカニューラ固定具を提供するものである。
【課題を解決するための手段】
【０００８】
前記目的を達成するため、本発明は、頭頂部から側頭部へ少なくとも左右二本づつ計四本以上の帯状体を垂延し、該帯状体の下端部にカニューラの位置を固定するための固定手段を設けた構成となっている。
【０００９】
また、本発明は、前記帯状体が、綿、絹、レース、伸縮性材料のうちいずれか一の材質あるいはそれらの組合せからなる構成を採用することができる。
【００１０】
さらに、本発明は、前記帯状体が、長さ調節機能を備える構成を採ることができる。
【００１１】
またさらに、本発明は、前記帯状体において、左前方と右後方の帯状体及び右前方と左後方の帯状体をそれぞれ一本の帯状体で形成し、各帯状体が頭頂部付近でたすき状に交差するような構成とすることもできる。
【００１２】
そしてまた、本発明は、前記帯状体において、左後方の帯状体と右後方の帯状体に紐体が連結され、着用状態において該紐体が後頭部に位置するような構成を採用することもできる。
【００１３】
さらにまた、本発明は、前記紐体が、綿、絹、レース、伸縮性材料のうちいずれか一の材質あるいはそれらの組合せからなる構成とすることもできる。
【００１４】
そしてさらに、本発明は、前記紐体が、長さ調節機能を備える構成を採ることもできる。
【発明の効果】
【００１５】
本発明にかかるカニューラ固定具によれば、カニューラを所定の位置でしっかり固定することができるため、吸入口が鼻孔から簡単に外れることがなくなり、常に吸入口を鼻孔に差し入れた状態で維持することが可能となる。したがって、乳幼児に対する授乳の際にもカニューラが外れる心配はなく、また、睡眠時における寝返り等によってカニューラが引っ張られても、吸入口が鼻孔から外れることがなく、安心して睡眠をとることができる。
【００１６】
また、本発明にかかるカニューラ固定具を着用したまま入浴したり汗をかいても何の問題もなく、医療用テープで固定する場合の問題点、詳しくは、テープを貼った箇所付近を洗うことができない、テープの粘着力が弱まって外れ易くなる、スキントラブル、といった問題点を総て解消することができる。
【００１７】
さらに、本発明にかかるカニューラ固定具によれば、帽子と同じような間隔で着用でき、予め定めた位置に自然とカニューラが固定され、ムレが無く、着用に際しほとんど違和感を感じさせない。カニューラ固定具の色を変えれば洋服にコーディネイトでき、酸素使用による「治療」といった暗いイメージから脱する事ができると考えられる。そして着用状態は、頭上からカニューラを吊り下げる格好であって、かつ、体の背面でぶら下がる状態となるため、子供から大人まで万人に適用することが可能であり、子供にとっては遊びの邪魔にならず、大人にとっては家事や趣味の邪魔にならない。そしてまた、カニューラが耳の裏側に擦れる等といった問題も全く生じない。
【発明を実施するための最良の形態】
【００１８】
本発明にかかるカニューラ固定具１は、人の頭部の側面における少なくとも左右各二箇所計四箇所以上においてカニューラＣを帯状体３の下端部に固定することで、帯状体３を介して頭頂部Ｈ１付近からカニューラＣを吊り下げ固定するようにしたことを最大の特徴とする。以下、本発明にかかるカニューラ固定具１の実施形態を図面に基づいて説明する。
【００１９】
図１は、本発明にかかるカニューラ固定具１の第一の実施形態を示す斜視図である。該カニューラ固定具１は、四本の帯状体３と、その各帯状体３の上端部を支持する支持体２から構成される。各帯状体３の下端部には、カニューラＣの位置を固定するための固定手段４が設けられており、その固定手段４により帯状体３とカニューラＣとが連結される。固定手段４については特に限定はなく、ボタンやフック、ベルクロファスナー等によってカニューラＣを包み込む状態で固定したり、あるいは、あらかじめ帯状体３の下端部に筒状のカニューラ通し穴を設けて、その穴にカニューラＣを通して固定する手段等が考えられる。
【００２０】
帯状体３の材質については特に限定するものではないが、綿や絹、レースといった布地製や、ゴム等の伸縮性を有する材料などが考えられる。帯状体３を布地製とした場合には、かかる帯状体３に通気性をもたせることができ、また、汗を吸収することも可能となる。帯状体３を伸縮性材料とした場合には、カニューラＣの吊り下げ効果を向上させるととともに、その伸縮性という特徴から、頭部への着脱が容易に行えるといった効果も奏する。
【００２１】
帯状体３において、長さ調節機能を備えた構成とすることもできる。長さ調節機能としては、常法のものを使用すれば足り、例えばリング状の調節具やベルクロファスナー等が考えられるが、その構造について特に限定はなく、帯状体３の連結が可能であって、かつ、帯状体３の長さの調節が可能であれば足りる。長さ調節機能を設ける箇所としては、帯状体３の上端部から下端部までの任意の位置に設けることができ、下端部の固定手段４に長さ調節機能をもたせることも可能である。かかる帯状体３に長さ調節機能を備えることで、カニューラ固定具１が着用される人によって異なる頭部Ｈの大きさに対応可能となる。
【００２２】
図２は、本発明の第一の実施形態にかかるカニューラ固定具１を着用した状態を示す使用説明図である。頭頂部Ｈ１付近に支持体２が位置し、該支持体２から側頭部へ左右二本づつ計四本の帯状体３が垂延されている。このとき、帯状体３のうち右前方帯状体３ａ及び左前方帯状体３ｂは耳の前方へ位置することとなり、逆に左後方帯状体３ｃ及び右後方帯状体３ｄは耳の後方へ位置することとなる。そして、吸入口Ｃ１が鼻孔に差し入れられ、その状態でカニューラＣを各帯状体３の下端部に連結固定することにより着用される。
【００２３】
かかる着用状態においてカニューラＣは、その端部を酸素ボンベにつなげるべく、体の背面側でぶら下がる状態となる。したがって、従来における体の正面にぶら下がる状態と異なり、乳幼児が自らカニューラＣを引っ張って外してしまったり、介護者が無意識に引っ張ってしまうといった問題が解消される。尚、本発明にかかるカニューラ固定具１であっても、従来と同様、カニューラＣを体の正面側でぶら下げる状態で維持することも可能である。したがって、従来通りの体の正面にカニューラＣがぶら下がる状態に慣れてしまった人に対しても、対応することが可能である。また、左後方帯状体３ｃ及び右後方帯状体３ｄを含め、全ての帯状体３を耳の前方に位置させて、カニューラＣを固定する使用態様も考えられる。
【００２４】
図３は、本発明にかかるカニューラ固定具１の第二の実施形態を示す斜視図である。該カニューラ固定具１は、二本の帯状体３から構成されており、右前方帯状体３ａと左後方帯状体３ｃとが一本の帯状体３で形成され、また、左前方帯状体３ｂと右後方帯状体３ｄとが一本の帯状体３で形成されている。かかる構成を採ることにより、構造が簡単となり、また、帯状体３に長さ調節機能を設ける際に、二本の帯状体３にそれぞれ一づつ設ければ足りることとなる。
【００２５】
尚、固定手段４、帯状体３の材質、長さ調節機能については、前記第一の実施形態と同様である。
【００２６】
第二の実施形態にかかるカニューラ固定具１を着用したときの状態は、頭頂部Ｈ１付近で二本の帯状体３がたすき状に交差することとなり、この交差点からみて側頭部へ左右二本づつ計四本の帯状体３が垂延される構成となる。このとき、帯状体３のうち右前方帯状体３ａ及び左前方帯状体３ｂは耳の前方へ位置することとなり、逆に左後方帯状体３ｃ及び右後方帯状体３ｄは耳の後方へ位置することとなる。そして、吸入口Ｃ１が鼻孔に差し入れられ、その状態でカニューラＣを各帯状体３の下端部に連結固定することにより着用される。
【００２７】
かかる着用状態において、カニューラＣが体の背面側でぶら下がる状態となること、カニューラＣを体の正面側でぶら下げる状態とすることも可能であること、そして、全ての帯状体３を耳の前方に位置させてカニューラＣを固定することも可能であることについては、前記第一の実施形態の着用状態と同様である。
【００２８】
図４から図６は、本発明にかかるカニューラ固定具１の第三の実施形態を示す斜視図であり、前記第一の実施形態または第二の実施形態において、左後方帯状体３ｃと右後方帯状体３ｄとが紐体５によって連結されている構成となっている。そして、図４は、左後方帯状体３ｃ及び右後方帯状体３ｄのそれぞれ下端部に設けられた固定手段４に該紐体５を連結する構成を示している。また、図５は、左後方帯状体３ｃ及び右後方帯状体３ｄにおける上端部から下端部までの任意の中間位置に該紐体５を連結する構成を示している。さらに、図６は、紐体５を直接カニューラＣに連結し、左後方帯状体３ｃ及び右後方帯状体３ｄの下端部が固定手段４′によって該紐体５の任意の位置に連結されている構成を示している。これら構成を採ることにより、帯状体３が顔の前方へズレるのを防止することが可能となる。
【００２９】
紐体５の材質については特に限定するものではないが、綿や絹、レースといった布地製や、ゴム等の伸縮性を有する材料などが考えられる。紐体５を布地製とした場合には、かかる紐体５に通気性をもたせることができ、また、汗を吸収することも可能となる。紐体５を伸縮性材料とした場合には、左後方帯状体３ｃ及び右後方帯状体３ｄが後方へ引っ張られることにより、カニューラ固定具１の着用状態を所定の位置で維持することができるととともに、その伸縮性という特徴から、頭部への着脱が容易に行えるといった効果も奏する。
【００３０】
紐体５において、長さ調節機能を備えた構成とすることもできる。長さ調節機能としては、常法のものを使用すれば足り、例えばリング状の調節具やベルクロファスナー等が考えられるが、その構造について特に限定はなく、紐体５の連結が可能であって、かつ、紐体５の長さの調節が可能であれば足りる。長さ調節機能を設ける箇所としては、紐体５の任意の位置に設けることができ、両端にある連結手段６に長さ調節機能をもたせることも可能である。かかる紐体５に長さ調節機能を備えることで、カニューラ固定具１が着用される人によって異なる頭部Ｈの大きさに対応可能となる。
【００３１】
図７は、本発明の第三の実施形態にかかるカニューラ固定具１を着用した状態を示す使用説明図である。頭頂部Ｈ１付近から側頭部へ左右二本づつ計四本の帯状体３が垂延されている。このとき、帯状体３のうち右前方帯状体３ａ及び左前方帯状体３ｂは耳の前方へ位置することとなり、逆に左後方帯状体３ｃ及び右後方帯状体３ｄは耳の後方へ位置することとなる。そして、左後方帯状体３ｃと右後方帯状体３ｄに紐体５が連結され、該紐体５が後頭部Ｈ２に位置する格好となる。そしてまた、吸入口Ｃ１が鼻孔に差し入れられ、その状態でカニューラＣを各帯状体３の下端部に連結固定することにより着用される。
【００３２】
かかる着用状態において、カニューラＣが体の背面側でぶら下がる状態となること、カニューラＣを体の正面側でぶら下げる状態とすることも可能であること、そして、全ての帯状体３を耳の前方に位置させてカニューラＣを固定することも可能であることについては、前記第一の実施形態の着用状態と同様である。
【００３３】
尚、上記種々の実施形態はあくまで例示であり、これらの形態に限定されるものではなく、少なくとも四箇所以上において帯状体３の下端部とカニューラＣとが連結され、カニューラＣを頭頂部Ｈ１付近より吊り下げ固定できるものであればよい。
【図面の簡単な説明】
【００３４】
【図１】本発明にかかるカニューラ固定具の第一の実施形態を示す斜視図である。
【図２】本発明の第一の実施形態にかかるカニューラ固定具を着用した状態を示す使用説明図である。
【図３】本発明にかかるカニューラ固定具の第二の実施形態を示す斜視図である。
【図４】本発明にかかるカニューラ固定具の第三の実施形態における一の実施例を示す斜視図である。
【図５】本発明にかかるカニューラ固定具の第三の実施形態における他の実施例を示す斜視図である。
【図６】本発明にかかるカニューラ固定具の第三の実施形態におけるさらに他の実施例を示す斜視図である。
【図７】本発明の第三の実施形態にかかるカニューラ固定具を着用した状態を示す使用説明図である。
【符号の説明】
【００３５】
１    カニューラ固定具
２    支持体
３    帯状体
３ａ  右前方帯状体
３ｂ  左前方帯状体
３ｃ  左後方帯状体
３ｄ  右後方帯状体
４    固定手段
４′  固定手段
５    紐体
６    連結手段
Ｃ    カニューラ
Ｃ１  吸入口
Ｈ    頭部
Ｈ１  頭頂部
Ｈ２  後頭部
【図１】
2006061528.tif 000003
【図２】
2006061528.tif 000004
【図３】
2006061528.tif 000005
【図４】
2006061528.tif 000006
【図５】
2006061528.tif 000007
【図６】
2006061528.tif 000008
【図７】
2006061528.tif 000009